(57)【要約】【課題】撮像装置の表面を清浄にする。【解決手段】撮像装置であって、被写体像を撮像する撮像部と、撮像部を収容する筐体と、筐体に配され、筐体に紫外線を照射する紫外線光源とを備える。上記撮像装置において、筐体における紫外線が照射される領域には、光触媒がコーティングされていてもよい。また、上記撮像装置において、紫外線光源は、筐体における他の部分よりも突出した突出部に配されてもよい。更に、上記撮像装置において、突出部は、被写体像を目視するファインダであってもよい。【選択図】図３
2012220534.tif 000002
【特許請求の範囲】
【請求項１】
被写体像を撮像する撮像部と、
前記撮像部を収容する筐体と、
前記筐体に配され、前記筐体に紫外線を照射する紫外線光源と
を備えた撮像装置。
【請求項２】
前記筐体における前記紫外線が照射される領域には、光触媒がコーティングされている請求項１に記載の撮像装置。
【請求項３】
前記紫外線光源は、前記筐体における他の部分よりも突出した突出部に配される請求項１または２に記載の撮像装置。
【請求項４】
前記突出部は、被写体像を目視するファインダである請求項３に記載の撮像装置。
【請求項５】
前記ファインダの近傍に、画像を表示する画像表示部をさらに備え、
前記紫外線光源は、前記画像表示部に紫外線を照射する請求項４に記載の撮像装置。
【請求項６】
前記紫外線光源は、前記ファインダにも紫外線を照射する請求項４または５に記載の撮像装置。
【請求項７】
前記ファインダに紫外線を照射する場合に、前記ファインダを目視した状態で認識できる警告を表示する警告表示部をさらに備える請求項６に記載の撮像装置。
【請求項８】
前記筐体における紫外線が照射される領域には、紫外線の照射により蛍光または蓄光を発する印刷が設けられている請求項１から７のいずれか一項に記載の撮像装置。
【請求項９】
前記筐体は、ユーザによって握られるグリップ部を有し、
前記紫外線光源は、前記グリップ部に紫外線を照射する請求項１から８のいずれか一項に記載の撮像装置。
【請求項１０】
ユーザによる操作を検知した場合に、前記紫外線光源から照射する紫外線の光量を減少させるまたは照射を停止させる光量制御部をさらに備える請求項１から８のいずれか一項に記載の撮像装置。
【請求項１１】
前記撮像部を駆動するバッテリの残量を取得し、残量が少ないほど紫外線の光量を減らす光量制御部を有する請求項１から８のいずれか一項に記載の撮像装置。
【請求項１２】
直前の電源投入時間が長いほど紫外線の光量を増やす光量制御部を有する請求項１から８のいずれか一項に記載の撮像装置。
【発明の詳細な説明】
【技術分野】
【０００１】
本発明は撮像装置に関する。
【背景技術】
【０００２】
撮像装置は素手で保持して操作する場合が多く、外装が汚れやすい。そこで、筐体等を形成する樹脂に抗菌剤を含有させることが提案されている（特許文献１参照）。
［先行技術文献］
［特許文献］
［特許文献１］特開平０９−１４６１６９号公報
【発明の概要】
【発明が解決しようとする課題】
【０００３】
抗菌剤は、皮脂の付着等、外見に影響する汚れに関しては何等対策にならない。
【課題を解決するための手段】
【０００４】
上記課題を解決すべく、本発明の一態様として、被写体像を撮像する撮像部と、撮像部を収容する筐体と、筐体に配され、筐体に紫外線を照射する紫外線光源とを備えた撮像装置が提供される。
【０００５】
上記の発明の概要は、本発明の必要な特徴の全てを列挙したものではない。これら特徴群のサブコンビネーションも発明となり得る。
【図面の簡単な説明】
【０００６】
【図１】一眼レフカメラ３００の模式的断面図である。
【図２】カメラボディ１００の斜視図である。
【図３】カメラボディ１００の斜視図である。
【図４】紫外線照射部１７０の部分断面図である。
【図５】紫外線照射部１７０の部分断面図である。
【図６】アイピースシャッタ１６６の見え掛かりを示す図である。
【図７】紫外線照射部１７０の制御手順を示す流れ図である。
【図８】紫外線照射部１７０の制御手順を示す流れ図である。
【図９】カメラボディ１００の斜視図である。
【発明を実施するための形態】
【０００７】
次に、実施の形態を通じて本発明を説明する。下記の実施形態は特許請求の範囲に係る発明を限定するものではない。また、実施形態の中で説明されている特徴の組み合わせの全てが発明の解決手段に必須であるとは限らない。
【０００８】
図１は、撮像装置である一眼レフカメラ３００の模式的断面図である。一眼レフカメラ３００は、カメラボディ１００およびレンズユニット２００を含む。
【０００９】
レンズユニット２００は、固定筒２１０、レンズ２２０、２３０、２４０およびレンズマウント２５０を有する。固定筒２１０の一端は、レンズマウント２５０を介して、カメラボディ１００のボディマウント３５０に結合される。レンズマウント２５０およびボディマウント３５０の結合は特定の操作により解除できる。これにより、カメラボディ１００には、同じ規格のレンズマウント２５０を有する他のレンズユニット２００を装着できる。
【００１０】
レンズユニット２００において、レンズ２２０は、固定筒２１０から直接に支持される。他のレンズ２３０、２４０は、固定筒２１０から支持されつつも、固定筒２１０対して光軸Ｘ方向に移動する。これにより、レンズユニット２００の光学系は変倍または合焦する。
【００１１】
例えば、レンズ２３０は、レンズユニット２００の倍率を変化させる場合に移動するズームレンズのひとつとなる。また、レンズ２４０は、レンズユニット２００の焦点位置を変化させる場合に移動するフォーカシングレンズのひとつとなる。
【００１２】
カメラボディ１００は、レンズユニット２００に対してボディマウント３５０の背後にミラーユニット３８０を備える。ミラーユニット３８０の下方には合焦部３６０が配される。ミラーユニット３８０の上方にはフォーカシングスクリーン３３０が配される。
【００１３】
フォーカシングスクリーン３３０の更に上方にはペンタプリズム３４０が、ペンタプリズム３４０の後方にはファインダ光学系１６４がそれぞれ配される。ペンタプリズム３４０およびファインダ光学系１６４は、カメラボディ１００の筐体１１０から突出した共通のハウジング部１６１に収容される。
【００１４】
ハウジング部１６１には、測光センサ３４２も収容される。ファインダ光学系１６４の後端は、ユーザがファインダ１６０をのぞき込む接眼窓１６２としてハウジング部１６１の後端に露出する。なお、ユーザが接眼窓１６２をのぞきやすいように、ハウジング部１６１は、筐体１１０の背面よりも更に後方に突出している。
【００１５】
ミラーユニット３８０の後方には、フォーカルプレンシャッタ３７０、ローパスフィルタ３２２および撮像素子３２０が順次配される。撮像素子３２０の更に背後には、制御部３１２および画像処理部３１４が実装された主基板３１０が配される。更に、カメラボディ１００の背面には表示部１５０が配される。表示部１５０は、例えば液晶表示板により形成できる。
【００１６】
ミラーユニット３８０は、サブミラー３８３およびメインミラー３８４を含む。サブミラー３８３およびメインミラー３８４は、それぞれ、回動軸３８５、３８６により軸支された保持枠３８１、３８２に保持される。サブミラー３８３の回動軸３８５は、メインミラー３８４の保持枠３８２に支持される。よって、サブミラー３８３は、メインミラー３８４に対して回動する。
【００１７】
メインミラー３８４は、レンズユニット２００を通じて入射した被写体光束上に斜めに配される状態と被写体光束の光路から退避した状態との間を回動する。メインミラー３８４が被写体光束上に位置する場合、被写体光束の多くは、メインミラー３８４に反射されてフォーカシングスクリーン３３０に導かれる。フォーカシングスクリーン３３０は、撮像素子３２０と光学的に共役な位置に配され、レンズユニット２００の光学系が合焦した場合に被写体像を形成する。
【００１８】
フォーカシングスクリーン３３０に形成された被写体像は、ペンタプリズム３４０およびファインダ光学系１６４を通じて接眼窓１６２から観察される。ペンタプリズム３４０を通じた被写体像は、接眼窓１６２から正立正像として観察される。
【００１９】
ペンタプリズム３４０から射出された光束の一部は、測光センサ３４２に入射する。測光センサ３４２は、被写体輝度を検出して、検出結果を制御部３１２に参照させる。これにより、制御部３１２は、撮影する場合の露光条件を算出する。
【００２０】
メインミラー３８４は、入射光束の一部を透過するハーフミラー領域を有する。ハーフミラー領域においてメインミラー３８４を透過した入射光束は、サブミラー３８３で反射されて合焦部３６０に入射する。合焦部３６０は、合焦センサ３６２により、レンズユニット２００を合焦させる場合のレンズ２３０の目標位置を決定できる。
【００２１】
上記のような一眼レフカメラ３００においては、レリーズボタンが半押しされると、合焦センサ３６２および測光センサ３４２が有効になり撮影条件が算出される。次いで、レリーズボタンが全押しされると、メインミラー３８４およびサブミラー３８３が退避位置に移動して、フォーカルプレンシャッタ３７０が開く。
【００２２】
これにより、撮像素子３２０が被写体光束に露光され、被写体に応じた電気信号が生成される。撮像素子３２０から出力された電気信号は画像処理部３１４において画像データに変換される。制御部３１２は、これら撮影に係る一連の動作に加え、カメラボディ１００に係る動作前半を包括的に制御する。
【００２３】
なお、カメラボディ１００は、筐体１１０の底部近傍に加速度センサ１１２を備える。加速度センサ１１２は、カメラボディ１００に生じた変位、振動、衝撃等を検出する。よって、制御部３１２は、加速度センサ１１２の出力を参照することにより、カメラボディ１００に対してユーザが何らかの操作をしたことを検知することができる。
【００２４】
図２は、カメラボディ１００の表面を背面側から見上げた様子を示す斜視図である。カメラボディ１００は、筐体１１０の背面には、ダイヤル１２０、押しボタン１３０、レバー１４０、表示部１５０が配される。また、筐体１１０の上部に配されたハウジング部１６１には、接眼窓１６２が配される。
【００２５】
更に、カメラボディ１００は、アイセンサ１６３を接眼窓１６２の近傍に備える。アイセンサ１６３は、ユーザの顔が接近したことを検出して制御部３１２に通知する。これにより、制御部３１２は、ユーザが接眼窓１６２をのぞき込んでいる間は、表示部１５０の表示を消して電力を節約する。
【００２６】
また更に、カメラボディ１００は、ハウジング部１６１の後端部下面に、複数の照射窓１７１、１７３、１７５を含む紫外線照射部１７０を備える。ハウジング部１６１が筐体１１０の後方に突出しているので、照射窓１７１、１７３、１７５の各々も、筐体１１０の背面よりも後方に位置している。これにより、照射窓１７１、１７３、１７５の各々も、筐体１１０の背面よりも更に後方に位置している。
【００２７】
カメラボディ１００において、ダイヤル１２０、押しボタン１３０およびレバー１４０は、ユーザが回転あるいは押し込む操作をする被操作部であり、ユーザが触れる機会が多い。また、接眼窓１６２は、これをのぞく場合にユーザの瞼等が触れることがある。更に、表示部１５０は、接眼窓１６２をのぞくユーザの鼻が触れる。このため、カメラボディ１００の背面各部には、手垢、皮脂等が付着しやすい。
【００２８】
図３は、カメラボディ１００を背面側から見上げた様子を示す斜視図であり、紫外線照射部１７０が点灯された状態を示す。図２と共通の要素には同じ参照番号を付して重複する説明を省く。
【００２９】
図中左側の照射窓１７１から射出された紫外線は、筐体１１０の背面において、表示部１５０の図中左側に位置する押しボタン１３０に向かって照射される。上記のように、照射窓１７１は、筐体１１０背面よりも更に後方に位置しているので、照射された紫外線は、押しボタン１３０の押圧面に照射される。
【００３０】
図中中央の紫外線照射窓１７３から射出された紫外線は、筐体１１０の背面において、表示部１５０に向かって照射される。既に説明した通り、上記のように、照射窓１７３は、筐体１１０背面よりも更に後方に位置しているので、照射窓１７３から射出された紫外線は、表示部１５０の表面に付着した皮脂等に対して照射される。
【００３１】
図中右側の紫外線照射窓１７５から射出された紫外線は、筐体１１０の背面において、表示部１５０の図中右側に位置するダイヤル１２０、押しボタン１３０およびレバー１４０等に向かって照射される。上記のように、照射窓１７５は筐体１１０背面よりも更に後方に位置しているので、照射された紫外線は、筐体１１０の表面から多少突出したダイヤル１２０、押しボタン１３０およびレバー１４０の表面にも照射される。
【００３２】
カメラボディ１００において、照射窓１７１、１７３、１７５から射出された紫外線を照射される領域では、筐体１１０、ダイヤル１２０、押しボタン１３０、レバー１４０およびハウジング部１６１の表面が、酸化チタン等の光触媒層により被覆されている。また、表示部１５０および接眼窓１６２の表面も、透明な光触媒層により被覆されている。
【００３３】
なお、下地となる部品に耐熱性がある場合は、チタンアルコキシド、チタニアゾル等を高温で付着させることにより透明で強固な酸化チタン層を形成できる。また、下地となる部品が樹脂等の場合は、過酸化チタン溶液の塗布および乾燥により、略常温で酸化チタン層を形成できる。
【００３４】
酸化チタン等の光触媒は、照射された紫外線を吸収して強い酸化力を有する正孔を生成する。これにより、光触媒層の表面においては有機物が二酸化炭素と水に酸化分解される。従って、光触媒層により被覆された筐体１１０、ダイヤル１２０、押しボタン１３０、レバー１４０および表示部１５０は、紫外線の照射を受けることにより汚れを分解し、更に殺菌する。ただし、光触媒層の下地が酸化力の影響を受ける場合は、光触媒層と下地層の間にバッファ層を設けることが好ましい。
【００３５】
なお、光触媒は、自然光（太陽光）に含まれる紫外線を照射された場合にも光触媒としての作用を発揮する。しかしながら、使用していないカメラボディ１００は、ケース、保管庫等に収容されるので、使用していないカメラボディ１００に自然光が照射される機会は少ない。よって、自然光による紫外線照射を当てにして光触媒層を設けても、汚れが十分に分解されない場合がある。
【００３６】
また、カメラボディ１００において、照射窓１７１、１７３、１７５から射出された紫外線を照射される領域において、筐体１１０、ダイヤル１２０、押しボタン１３０、レバー１４０およびハウジング部１６１の表面に、ブラックライトインク、蓄光インク等、紫外線照射によりユーザが視認できる印刷材料で形成したレタリング、アイコン等を設けてもよい。ブラックライトインクは、照射された紫外線を、可視帯域に変換して反射する。また、蓄光インクは、照射された紫外線のエネルギを蓄積して蛍光を発生する。これにより、紫外線照射部１７０を照明部としても使用できる。
【００３７】
図４は、カメラボディ１００における紫外線照射部１７０付近の部分断面図である。紫外線照射部１７０は、ハウジング部１６１の内部においてファインダ光学系１６４の下方に配された、発光ダイオード１７２および光学部品１７４、１７６を含む。なお、ハウジング部１６１の内部には、接眼窓１６２を光学的に封鎖するアイピースシャッタ１６６も配される。
【００３８】
発光ダイオード１７２は、駆動電流を供給された場合に、カメラボディ１００の後方に向かって略水平に紫外線を射出する。発光ダイオード１７２の点灯または消灯は、後述するように、制御部３１２により制御される。光学部品１７４、１７６は、紫外線に対して光学的に透明な材料、例えばポリメチルメタアクリレートにより形成され、発光ダイオード１７２から射出された紫外線の光路上に順次配される。
【００３９】
発光ダイオード１７２に隣接して配される光学部品１７４は、紫外線の光軸に対して下向きに傾斜した半透明の反射面と、ハウジング部１６１の下面を貫通して照射窓１７３を形成する下端面とを有する。よって、発光ダイオード１７２から射出された紫外線は、光学部品１７４において一部が反射され、照射窓１７３を通じて筐体１１０の背面に向かって照射される。
【００４０】
なお、図４に示した状態では、アイピースシャッタ１６６の一部が、一対の光学部品１７４、１７６の間に位置している。よって、光学部品１７４を透過した紫外線が光学部品１７６に到達することはない。このように、アイピースシャッタ１６６が開いている状態では、接眼窓１６２に紫外線が照射されることはない。
【００４１】
上記のように、図４に示した状態で発光ダイオード１７２を点灯させた場合、図中に点線で示すように、紫外線は筐体１１０の表面に照射される。よって、筐体１１０、ダイヤル１２０、押しボタン１３０、レバー１４０の表面にブラックライトインクで形成したレタリング、アイコン等を照明する目的で発光ダイオード１７２を点灯させる照明モードでは、図４に示した通り、アイピースシャッタ１６６を開いた状態で発光ダイオード１７２を点灯してもよい。
【００４２】
図５は、カメラボディ１００における紫外線照射部１７０付近の部分断面図である。図４と共通の要素には同じ参照番号を付して重複する説明を省く。
【００４３】
図示の状態では、アイピースシャッタ１６６が閉じた状態で発光ダイオード１７２が点灯している。この場合、発光ダイオード１７２から射出された紫外線は、まず、光学部品１７４において一部が反射され、照射窓１７３を通じて筐体１１０の背面に向かって照射される。
【００４４】
また、接眼窓１６２を遮蔽したアイピースシャッタ１６６は、光学部品１７４、１７６の間から退避しているので、光学部品１７４を透過して直進した紫外線は、光学部品１７６に到達する。光学部品１７６は、紫外線の光軸に対して上向きに傾斜した全反射面を有する。よって、光学部品１７４を透過して光学部品１７６に到達した紫外線は、接眼窓１６２に向かって照射される。
【００４５】
こうして、発光ダイオード１７２が発生した紫外線は、筐体１１０の背面と、接眼窓１６２の双方に照射される。これにより、筐体１１０背面のダイヤル１２０、押しボタン１３０、レバー１４０等と、接眼窓１６２とに付着したユーザの皮脂等が、紫外線および光触媒の作用により分解される。
【００４６】
このように、カメラボディ１００の汚れを分解する目的で発光ダイオード１７２を発光させる防汚モードでは、接眼窓１６２がアイピースシャッタ１６６により閉鎖される。また、防汚作用を向上させる目的で、発光ダイオード１７２による紫外線の照射強度をより高くしてもよい。
【００４７】
図６は、接眼窓１６２に対して紫外線を照射している場合の、アイピースシャッタ１６６の見え掛かりを示す図である。図示のように、接眼窓１６２を通じてファインダ光学系１６４を覗き込もうとした場合、接眼窓１６２のすぐ内側は、アイピースシャッタ１６６により封鎖される。
【００４８】
更に、接眼窓１６２を封鎖したアイピースシャッタ１６６には、警告を意味する警告表示１６７が設けられている。これにより、裏側から紫外線を照射している接眼窓１６２をユーザが覗き込むことを防止している。警告表示１６７は、ブラックライトインクの印刷により形成してもよい。これにより、紫外線を照射せずに、通常のアイピースシャッタとして用いる場合には警告表示１６７が現れない。
【００４９】
なお、警告表示の形態は、上記のアイピースシャッタ１６６を用いたものに限られない。即ち、発光ダイオード１７２が紫外線を照射中に点灯または点滅するパイロットランプ等を設けてもよいし、表示部１５０に、発光ダイオード１７２が紫外線を照射中である旨を表示させてもよい。
【００５０】
更に、加速度センサ１１２によりカメラボディ１００に対するユーザの操作が検出された場合、発光ダイオード１７２の点灯状態を、防汚モードから照明モードに切り替えてもよい。また、アイセンサ１６３によりユーザの目がファインダに接近したことが検出された場合に、発光ダイオード１７２の点灯状態を、防汚モードから照明モードに切り替えてもよい。
【００５１】
図７は、制御部３１２による紫外線照射部１７０の制御手順を示す流れ図である。図示の手順は、カメラボディ１００の電源スイッチがオンになった時点で実行される。
【００５２】
カメラボディ１００の電源がオンになると（ステップＳ１０１）、制御部３１２は、カメラボディ１００に対して照明点灯の指示があるか否かを監視し（ステップＳ１０２）、照明の点灯が指示されるまで待機する（ステップＳ１０２：ＮＯ）。
【００５３】
照明点灯が指示された場合（ステップＳ１０２：ＹＥＳ）、制御部３１２は、発光ダイオード１７２を照明モードで点灯させる（ステップＳ１０３）。照明モードでは、発光ダイオード１７２の発光強度は低く、駆動電流による電力消費も然程大きくはない。
【００５４】
なお、照明モードは、カメラボディ１００の表面に配されたレタリング、アイコン等を照明する。よって照明モードを指示したユーザは、カメラボディ１００の表面を見ており、ファインダをのぞいていないと判断できる。そこで、制御部３１２は、アイセンサ１６３の出力を参照して、ユーザが接眼窓１６２をのぞいていないことを確認する（ステップＳ１０４）。
【００５５】
ここで、アイセンサ１６３がユーザの目を検出した場合（ステップＳ：ＹＥＳ）、ユーザの目に紫外線が入射することを防止する目的で、制御部３１２は、発光ダイオード１７２を消灯する（ステップＳ１０８）。一方、アイセンサ１６３がユーザの目を検出しなかった場合（ステップＳ１０４：ＹＥＳ）、制御部３１２は、カメラボディ１００が搭載するバッテリの残り容量を調べる（ステップＳ１０５）。
【００５６】
バッテリの残り容量が少ない場合（ステップＳ１０５：ＮＯ）、電力を節約する目的で、制御部３１２は発光ダイオード１７２を消灯させる。一方、バッテリの残り容量が十分にある場合（ステップＳ１０５：ＹＥＳ）、制御部３１２は、発光ダイオード１７２を防汚モードで発光させる。
【００５７】
ここで、図５に示したように、カメラボディ１００にアイピースシャッタ１６６が設けられている場合は、アイピースシャッタ１６６を閉鎖する。また、発光ダイオード１７２が防汚モードで発光していることを警告する他の機能を有する場合は、その警告機能を有効にする。
【００５８】
続いて、制御部３１２は、加速度センサ１１２の出力を参照して、ユーザのカメラボディ１００に対する操作の発生を監視する（ステップＳ１０７）。また、制御部３１２は、発光ダイオード１７２の点灯時間を計測する（ステップＳ１０８）。ユーザの操作が生じていない場合（ステップＳ１０７：ＮＯ）、および、点灯時間が経過していない場合（ステップＳ１０８：ＮＯ）、制御部３１２は、発光ダイオード１７２の点灯状態を維持する。
【００５９】
しかしながら、カメラボディ１００に対してユーザが何らかの操作をしたことが加速度センサ１１２により検出された場合（ステップＳ１０７：ＹＥＳ）、制御部３１２は、発光ダイオード１７２を消灯する（ステップＳ１０９）。また、点灯時間が経過した場合（ステップＳ１０８：ＹＥＳ）、制御部３１２は、発光ダイオード１７２を消灯する（ステップＳ１０９）。
【００６０】
これにより、ユーザに対して、特にユーザの目に対して紫外線が照射されることが防止される。また、発光ダイオード１７２が長時間にわたって点灯して電力を消耗することが防止される。こうして、制御部３１２による発光ダイオード１７２に対する制御手順が完了する。
【００６１】
なお、発光ダイオード１７２が防汚モードで点灯した後に、ステップＳ１０４においてユーザの目が検出された場合（ステップＳ１０４：ＮＯ）、または、ステップＳ１０５においてバッテリ残量が少なくなったことが検出された場合（ステップＳ１０５：ＮＯ）であって、点灯時間がまだ経過していない場合（ステップＳ１０８：ＮＯ）、制御部３１２は、発光ダイオード１７２を消灯させるのではなく、照明モードまで減光させてもよい。また、ステップＳ１０５においてバッテリ残量が少なくなったことが検出された場合（ステップＳ１０５：ＮＯ）、制御部３１２は、バッテリ残量に応じて発光ダイオード１７２の照射強度を変化させてもよい。
【００６２】
図８は、制御部３１２による紫外線照射部１７０の制御手順を示す流れ図である。図示の手順は、カメラボディ１００の電源スイッチがオフになった時点で実行される。
【００６３】
カメラボディ１００の電源がオフになると（ステップＳ２０１）、制御部３１２は、電源がオフにされた時点から、予め定められた待機時間の計測を開始して（ステップＳ２０２）、当該待機時間が経過するまで待機する（ステップＳ２０２：ＮＯ）。待機時間内に、カメラボディ１００に対する操作が生じた場合は、再びオフにされるのを待って、待機時間の計測を改めて開始する。
【００６４】
カメラボディ１００に対する操作が無いままに待機時間が経過した場合（ステップＳ２０２：ＹＥＳ）、制御部３１２は、カメラボディ１００が搭載するバッテリの残り容量を調べる（ステップＳ２０３）。バッテリの残り容量が少ない場合（ステップＳ２０３：ＮＯ）、制御部３１２は制御を終了する。よって、カメラボディ１００は、内部的にも電源を遮断される。
【００６５】
一方、バッテリの残り容量が十分にある場合（ステップＳ２０３：ＹＥＳ）、制御部３１２は、発光ダイオード１７２を防汚モードで発光させる。ここで、図５に示したように、カメラボディ１００にアイピースシャッタ１６６が設けられている場合は、アイピースシャッタ１６６を閉鎖する。また、発光ダイオード１７２が防汚モードで発光していることを警告する他の機能を有する場合は、その警告機能を有効にする。
【００６６】
続いて、制御部３１２は、加速度センサ１１２の出力を参照して、ユーザのカメラボディ１００に対する操作の発生を監視する（ステップＳ２０５）。また、制御部３１２は、発光ダイオード１７２の点灯時間を計測する（ステップＳ２０６）。ユーザの操作が生じていない場合（ステップＳ２０５：ＮＯ）、および、点灯時間が経過していない場合（ステップＳ２０６：ＮＯ）、制御部３１２は発光ダイオード１７２の点灯状態を維持する。
【００６７】
しかしながら、カメラボディ１００に対してユーザが何らかの操作をしたことが加速度センサ１１２により検出された場合（ステップＳ２０５：ＹＥＳ）、制御部３１２は、発光ダイオード１７２を消灯する（ステップＳ２０７）。また、点灯時間が経過した場合（ステップＳ２０６：ＹＥＳ）、制御部３１２は、発光ダイオード１７２を消灯する（ステップＳ２０７）。
【００６８】
これにより、使用によりカメラボディ１００に付着した皮脂等の汚れを、使用直後に除去することができる。また、発光ダイオードが防汚モードで点灯中にカメラボディ１００の使用が再開された場合は、ユーザに対して紫外線が照射されることが防止される。こうして、制御部３１２による発光ダイオード１７２に対する制御手順が完了する。
【００６９】
なお、制御部３１２は、ステップＳ２０３において検出したバッテリの残量に応じて、残量が少ないほど発光ダイオード１７２の発光強度を低くし、発光時間を短くしてもよい。これにより、次にカメラボディ１００を使用する場合に、発光ダイオードの点灯により電力が枯渇していることを防止できる。
【００７０】
また、制御部３１２は、電源がオフにされる前にカメラボディ１００がオンになっていた時間を参照して、電源がオンになっていた時間が長いほど紫外線の照射強度を強く、照射時間を長くするように制御してもよい。これにより、カメラボディ１００の使用時間に応じた防汚作用が得られる。
【００７１】
図９は、カメラボディ１００を前面側から見下ろした様子を示す斜視図であり、筐体１１０の前面を見易くする目的で、レンズユニットをはずした状態で描かれる。他の図と同じ要素には同じ参照番号を付して重複する説明を省く。
【００７２】
カメラボディ１００は、筐体１１０の前面にも、ダイヤル１２０、押しボタン１３０、レバー１４０等の操作部材を備える。これらダイヤル１２０、押しボタン１３０、レバー１４０もユーザの手で操作されるので有機物により汚染される。
【００７３】
一方、カメラボディ１００は、前面にも、筐体１１０の前面から更に前方に突出した部分を備える。図示の例では、図中左側において筐体１１０から前方に突出するグリップ部１８０が、筐体１１０よりも前方に突出している。また、カメラボディ１００において、筐体１１０の上部に突出するハウジング部１６１の前側に位置する発光部カバー１９０も、筐体１１０から更に前方に突出している。
【００７４】
よって、グリップ部１８０の側面および発光部カバー１９０の下面にも照射窓１８１、１９１を配置して、筐体１１０およびその表面に配されたダイヤル１２０、押しボタン１３０、レバー１４０に紫外線を照射できる。なお、紫外線光源としての発光ダイオード１７２は、図４および図５に示したものと別に設けてもよいし、発光ダイオード１７２が射出した紫外線を、ガラス光ファイバ等の光導波路により、照射窓１８１、１９１に導いてもよい。
【００７５】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【００７６】
また、特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７７】
１００  カメラボディ、１１０  筐体、１１２  加速度センサ、１２０  ダイヤル、１３０  押しボタン、１４０  レバー、１５０  表示部、１６０  ファインダ、１６１  ハウジング部、１６２  接眼窓、１６３  アイセンサ、１６４  ファインダ光学系、１６６  アイピースシャッタ、１６７  警告表示、１７０  紫外線照射部、１７１、１７３、１７５、１８１、１９１  照射窓、１７２  発光ダイオード、１７４、１７６  光学部品、１８０  グリップ部、１９０  発光部カバー、２００  レンズユニット、２１０  固定筒、２２０、２３０、２４０  レンズ、２５０  レンズマウント、３００  一眼レフカメラ、３１０  主基板、３１２  制御部、３１４  画像処理部、３２０  撮像素子、３２２  ローパスフィルタ、３３０  フォーカシングスクリーン、３４０  ペンタプリズム、３４２  測光センサ、３５０  ボディマウント、３６０  合焦部、３６２  合焦センサ、３７０  シャッタ、３８０  ミラーユニット、３８１、３８２  保持枠、３８３  サブミラー、３８４  メインミラー、３８５、３８６  回動軸
【図１】
2012220534.tif 000003
【図２】
2012220534.tif 000004
【図３】
2012220534.tif 000005
【図４】
2012220534.tif 000006
【図５】
2012220534.tif 000007
【図６】
2012220534.tif 000008
【図７】
2012220534.tif 000009
【図８】
2012220534.tif 000010
【図９】
2012220534.tif 000011